(57)【要約】【課題】卓上カレンダーを見ながら来月以降の予定を立てる場合、予定を立てる月の月暦が見える位置まで暦片を捲る必要がなく、来月以降の予定を立てる場合の使い勝手が良好である卓上カレンダーを提供する。【解決手段】底面部４とこの底面部４の両側に位置する一対の側面部５とを有し、一対の側面部５の一端側を突き合わせるように折り曲げて三角筒状に形成され、側面部５の突き合わされた部分が綴じ具６により綴じられた支持台紙２と、綴じ具６により綴じられて支持台紙２に支持され、一対の側面部５の間で綴じ具６の周りに捲られる複数枚の暦片３と、を有し、暦片３の表面に、１カ月分の月暦１０と、その月以降の１年分の年暦１１とが表示されている。【選択図】図１
0003197765.tif 000002
【実用新案登録請求の範囲】
【請求項１】
底面部とこの底面部の両側に位置する一対の側面部とを有し、一対の前記側面部の一端側を突き合わせるように折り曲げて三角筒状に形成され、前記側面部の突き合わされた部分が綴じ具により綴じられた支持台紙と、
前記綴じ具により綴じられて前記支持台紙に支持され、一対の前記側面部の間で前記綴じ具の周りに捲られる複数枚の暦片と、を有し、
前記暦片の表面に、１カ月分の月暦と、その月以降の１年分の年暦とが表示されていることを特徴とする卓上カレンダー。
【請求項２】
前記年暦は、前記月暦の下側に位置してこの月暦の文字より小さい文字で縦横複数列に表示された１２カ月分の月暦から構成されていることを特徴とする請求項１記載の卓上カレンダー。
【請求項３】
前記１カ月分の月暦内の後端側又は先端側に、この月暦の文字より小さい文字で前月分の月暦が表示されていることを特徴とする請求項１又は２記載の卓上カレンダー。
【請求項４】
複数枚の前記暦片は、各暦片に表示される１カ月分の月暦が月順に並ぶように重ねて配列され、前記暦片の裏面には、その暦片の表面に表示された１カ月分の月暦の翌月分の月暦が表示されていることを特徴とする請求項１ないし３のいずれか一項に記載の卓上カレンダー。
【請求項５】
複数枚の前記暦片は、各暦片に表示される１カ月分の月暦が月順に並ぶように重ねて配列され、前記暦片の裏面には、その暦片の表面に表示された１カ月分の月暦の翌月分の月暦と任意の写真や画像が表示されていることを特徴とする請求項１ないし３のいずれか一項に記載の卓上カレンダー。
【考案の詳細な説明】
【技術分野】
【０００１】
本考案は、机やテーブルの上に載置して使用される卓上カレンダーに関する。
【背景技術】
【０００２】
従来より、机やテーブルの上に載置して使用される卓上カレンダーとしては様々なものが提案されており、例えば、下記特許文献１に記載されたものが知られている。下記特許文献１に記載された卓上カレンダーは、両端が開口されて三角筒状に折り曲げられた支持台紙を有し、支持台紙の頂点部分がリング状の連結リングで連結されている。さらに、複数枚の暦片が支持台紙に支持され、これらの暦片は連結リングの周りに回動させて１枚ずつ捲れるようになっている。各暦片には、一ヶ月分の暦（月暦）が表示されていることが一般的である。
【先行技術文献】
【特許文献】
【０００３】
【特許文献１】特開２０１０-２４７５０７号公報
【考案の概要】
【考案が解決しようとする課題】
【０００４】
しかしながら、卓上カレンダーを見ながら来月以降の予定を立てる場合、予定を立てる月の月暦を見られる位置まで暦片を捲らなければならず、煩雑である。特に、予定を立てる月が２月以上ある場合には、暦片を何度も捲らなければならず、より一層煩雑である。
【０００５】
また、机やテーブルを挟んで向かい合って位置する二人以上の人物がその机やテーブルの上に載置されている卓上カレンダーを見ながら日程に関する話をする場合、同じ月の月暦を同時に見られることが望ましい。
【０００６】
本考案の目的は、卓上カレンダーを見ながら来月以降の予定を立てる場合、予定を立てる月の月暦が見える位置まで暦片を捲る必要がなく、来月以降の予定を立てる場合の使い勝手が良好である卓上カレンダーを提供するものである。
【課題を解決するための手段】
【０００７】
本考案に係る卓上カレンダーは、底面部とこの底面部の両側に位置する一対の側面部とを有し、一対の前記側面部の一端側を突き合わせるように折り曲げて三角筒状に形成され、前記側面部の突き合わされた部分が綴じ具により綴じられた支持台紙と、前記綴じ具により綴じられて前記支持台紙に支持され、一対の前記側面部の間で前記綴じ具の周りに捲られる複数枚の暦片と、を有し、前記暦片の表面に、１カ月分の月暦と、その月以降の１年分の年暦とが表示されている。
【０００８】
また、前述の卓上カレンダーにおいて、前記年暦は、前記月暦の下側に位置してこの月暦の文字より小さい文字で縦横複数列に表示された１２カ月分の月暦から構成されていることが望ましい。
【０００９】
また、前述の卓上カレンダーにおいて、前記１カ月分の月暦内の後端側又は先端側に、この月暦の文字より小さい文字で前月分の月暦が表示されていることが望ましい。
【００１０】
また、前述の卓上カレンダーにおいて、複数枚の前記暦片は、各暦片に表示される１カ月分の月暦が月順に並ぶように重ねて配列され、前記暦片の裏面には、その暦片の表面に表示された１カ月分の月暦の翌月分の月暦が表示されていることが望ましい。
【００１１】
また、前述の卓上カレンダーにおいて、複数枚の前記暦片は、各暦片に表示される１カ月分の月暦が月順に並ぶように重ねて配列され、前記暦片の裏面には、その暦片の表面に表示された１カ月分の月暦の翌月分の月暦と任意の写真や画像が表示されていることが望ましい。
【考案の効果】
【００１２】
本考案の実施形態に係る卓上カレンダーによれば、１つの暦片の表面に、１カ月分の月暦とその月以降の１年分の年暦とが表示されているため、卓上カレンダーを見ながら来月以降の予定を立てる場合、予定を立てる月の月暦を見られる位置まで暦片を捲ることなく、現在の月暦が表示されている暦片に表示されている年暦を見ることにより予定を立てることができる。即ち、現在の月暦１０が表示されている暦片３の表面を見ながら来月以降の予定を容易に立てることができる。
【００１３】
また、年暦は、暦片に表示された１カ月分の月暦の下側に位置してこの月暦の文字より小さい文字で縦横複数列に表示された１２カ月分の月暦から構成されているので、暦片に表示されている１カ月分の月暦の翌月以降の予定を立てる場合の月日の認識を容易に行うことができる。
【００１４】
また、１カ月分の月暦内の後端側又は先端側に、この月暦の文字より小さい文字で前月分の月暦が表示されているので、前月の日程の確認等をする場合に、暦片を逆に捲って前月の月暦を見る必要がなく、前月の日程の確認等を容易に行うことができる。
【００１５】
また、暦片を捲って翌月の月暦を表示させた場合、捲った暦片の裏面には翌月分の月暦が表示されているため、卓上カレンダーの前面側と裏面側との両側から同じ月の月暦を見ることができる。
【００１６】
また、暦片を捲って翌月の月暦を表示させた場合、捲った暦片の裏面には翌月分の月暦が表示されているため、卓上カレンダーの前面側と裏面側との両側から同じ月の月暦を見ることができる。さらに、捲った暦片の裏面には、翌月分の月暦と共に写真や画像が表示されているため、卓上カレンダーを裏面側から見る人物に対し、写真や画像による各種のアピールや宣伝、啓蒙を行うことができる。
【図面の簡単な説明】
【００１７】
【図１】卓上カレンダーを示す斜視図である。
【図２】支持台紙の展開図である。
【図３】暦片の表面における表示内容を示す正面図である。
【図４】暦片の裏面における表示内容を示す背面図である。
【考案を実施するための形態】
【００１８】
本考案の一実施の形態を図面に基づいて説明する。図１は、卓上カレンダー１を示す斜視図である。この卓上カレンダー１は、水平方向の両側が開口された三角筒状に折り曲げられた支持台紙２と、この支持台紙２に支持されて一枚ずつ捲られる複数枚の暦片３とを有している。
【００１９】
支持台紙２は、底面部４と、この底面部４に繋がって折り曲げられた一対の側面部５とを有している。一対の側面部５における底面部４に繋がっていない側の一端が突き合わされ、この突き合わされた部分がリング状の綴じ具６により綴じられることにより三角筒状に形成されている。
【００２０】
この支持台紙２は、図２に示すような長尺状の厚紙を二本の折曲線７に沿って折り曲げることにより形成されており、二本の折曲線７の間の部分が底面部４とされ、底面部４を挟んだ両側の部分が側面部５とされている。側面部５の一端側であって三角筒状に折り曲げられた場合に他方の側面部５の一端側と突き合わされる部分には複数の取付孔８が形成され、これらの取付孔８に綴じ具６が取付けられている。さらに、支持台紙２の底面部４における二本の折曲線７の中央部分には中央折曲線９が設けられており、底面部４をこの中央折曲線９に沿って山折りに折り曲げることにより、支持台紙２は一対の側面部５を重ね合わせた状態に折り畳まれるようになっている。
【００２１】
暦片３は、少なくとも１年の各月に応じた１２枚が設けられている。各暦片３は、外形寸法を側面部５の外形寸法より小さくした厚紙部材で形成されており、その表面には、各月毎の１カ月分の月暦１０と、その月以降の１年分の年暦１１とが表示されている。各暦片３の上部には、暦片３を綴じ具６により綴じて支持台紙２に支持するための支持孔８ａが形成されている。
【００２２】
また、支持台紙２に支持された複数枚の暦片３は、各月の月暦１０が１月から１２月までの月順に並ぶように重ねて配列されている。例えば、表面に１月の月暦１０が表示された暦片３、その次に表面に２月の月暦１０が表示された暦片３、その次に表面に３月の月暦１０が表示された暦片３、……、その次に表面に１２月の月暦１０が表示された暦片３の順に重ねて配列されている。従って、表面に１月の月暦１０が表示されている暦片３を捲った場合に現れる次の暦片３の表面には、２月の月暦１０が表示されていることになる。
【００２３】
図３は、一枚の暦片３の表面を示す正面図であり、図４はその暦片３の裏面を示す背面図である。ここでは、表面に２０１５年３月分の月暦１０が表示された暦片３を例に挙げて示している。
【００２４】
暦片３の表面に表示された月暦１０は、横７列（日曜日から土曜日までの７日分）縦５列の升目を有し、これらの升目内に各曜日毎の日付を示す算用数字（１、２、３、……）が記入されている。さらに、各升目内には、月の満ち欠け状態を示した月齢、大安・赤口・先勝等の六曜（図示せず）、国民の祝日等が記入されている。また、各升目内には、予定などをメモ書きできる余白スペースが設けられている。
【００２５】
暦片３の表面に表示された年暦１１は、月暦１０の下側に位置し、月暦１０の文字より小さい文字で横６列縦２列に表示された１２カ月分の月暦から構成されている。
【００２６】
また、各月暦１０内の升目の後端側には、前月分の月暦１２が月暦１０の文字より小さい文字で表示されている。なお、前月分の月暦１２を表示する位置は、月暦１０内の升目の先端側であってもよい。
【００２７】
各暦片３の裏面には、その暦片３の表面に表示された１カ月分の月暦１０の翌月分の月暦１３と任意の写真や画像１４が表示されている。写真や画像１４としては、この卓上カレンダー１を使用する者が任意に選択することができ、例えば、警察署で使用する場合には交通安全を啓蒙する写真や画像、消防署で使用する場合には火災防止を啓蒙する写真や画像、製造会社の場合には製造する製品をアピールする写真や画像等を選択することができる。
【００２８】
このような構成において、この卓上カレンダー１によれば、１つの暦片３の表面に、１カ月分の月暦１０とその月以降の１年分の年暦１１とが表示されている。このため、卓上カレンダー１を見ながら来月以降の予定を立てる場合、予定を立てる月の月暦１０が表示されている暦片３の位置まで暦片３を捲る必要がなくなり、現在の月暦１０が表示されている暦片３の表面に表示されている年暦１１を見ながら来月以降の予定を容易に立てることができる。
【００２９】
また、年暦１１は、暦片３に表示された１カ月分の月暦１０の下側に位置し、この月暦１０の文字より小さい文字で縦横複数列に表示された１２カ月分の月暦から構成されているので、来月以降の各月の月日の認識を容易に行うことができ、来月以降の予定を立て易くなっている。
【００３０】
また、暦片３の表面に表示された月暦１０内の升目の後端側には、前月分の月暦１２が表示されているので、前月の日程の確認等をする場合に、暦片３を逆に捲ってその暦片３の表面に表示されている前月の月暦１０を見る必要がなく、前月の日程の確認等を容易に行うことができる。
【００３１】
また、暦片３の裏面には、その暦片３の表面に表示された１カ月分の月暦１０の翌月分の月暦１３が表示されているため、暦片３を捲って次の暦片３に表示された月暦１０を表示させた場合、捲った暦片３の裏面には翌月分の月暦１３が表示されているため、卓上カレンダーの前面側と裏面側との両側から同じ月の月暦１０、１３を見ることができる。このため、机やテーブルを挟んで向かい合って位置する二人以上の人物がその机やテーブルの上に載置された卓上カレンダー１を見ながら日程に関する話をする場合、同じ月の月暦１０、１３を同時に見ることができ、日程に関する話をスムーズに進めることができる。
【００３２】
また、各暦片３の裏面には、その暦片３の表面に表示された１カ月分の月暦１０の翌月分の月暦１３とともに、任意の写真や画像１４が表示されている。このため、この写真や画像１４を任意に選択することにより、様々な啓蒙やアピールをすることができる。
【符号の説明】
【００３３】
１      卓上カレンダー
２      支持台紙
３      暦片
４      底面部
５      側面部
６      綴じ具
７      折曲線
８      取付孔
８ａ    支持孔
９      中央折曲線
１０      月暦
１１      年暦
１２      前月分の月暦
１３      翌月分の月暦
１４      写真や画像
【図１】
0003197765.tif 000003
【図２】
0003197765.tif 000004
【図３】
0003197765.tif 000005
【図４】
0003197765.tif 000006